(57)【要約】【課題】ガラスビン容器などビン形状容器を、上端開口部から下端底部に亘って同じ外周径の紙を主体とする円筒状容器内に収納固定して、自動販売機や店頭にて販売可能とすることができるビン形状容器用外筒体を提供することにある。【解決手段】円筒状側板１と該円筒状側板１の下部開口部に底板２を備えた紙製の円筒部Ａと、該円筒部Ａ内に装填されるビン形状容器Ｂと、該円筒部Ａの円筒状側板１の上部開口部を施蓋する蓋部Ｃとからなるビン形状容器用外筒体であって、円筒部Ａの底板２にはビン形状容器Ｂの胴部１０の下部外周に接して立設した複数の係止板３を備え、蓋部Ｃの内面にはビン形状容器Ｂの胴部１０の少なくとも上部外周に接して放射状に立設した複数の緩衝板２５を備える。【選択図】図１
2005047602.tif 000002
【特許請求の範囲】
【請求項１】
円筒状側板１と該円筒状側板１の下部開口部に底板２を備えた紙製の円筒部Ａと、該円筒部Ａ内に装填されるビン形状容器Ｂと、該円筒部Ａの円筒状側板１の上部開口部を施蓋する蓋部Ｃとからなるビン形状容器用外筒体であって、蓋部Ｃの内面にはビン形状容器Ｂの胴部１０の少なくとも上部外周に接して放射状に立設した複数の緩衝板２５を備えることを特徴とするビン形状容器用外筒体。
【請求項２】
円筒状側板１と該円筒状側板１の下部開口部に底板２を備えた紙製の円筒部Ａと、該円筒部Ａ内に装填されるビン形状容器Ｂと、該円筒部Ａの円筒状側板１の上部開口部を施蓋する蓋部Ｃとからなるビン形状容器用外筒体であって、円筒部Ａの底板２にはビン形状容器Ｂの胴部１０の下部外周に接して立設した複数の係止板３を備え、蓋部Ｃの内面にはビン形状容器Ｂの胴部１０の少なくとも上部外周に接して放射状に立設した複数の緩衝板２５を備えることを特徴とするビン形状容器用外筒体。
【請求項３】
前記係止板３は、前記円筒部Ａの底板２にＵの字型に折目を介して切り抜き形成され、底板２から折目を介して円筒部Ａ内に立ち起こし可能であることを特徴とする請求項２記載のビン形状容器用外筒体。
【請求項４】
前記蓋部Ｃは、前記円筒部Ａの円筒状側板１の上部開口部内面に密接嵌合する円筒板２１と、該円筒板２１の下端に天板２２と、該天板２２の中央部に前記ビン形状容器Ｂの蓋部１１を嵌入する凹陥部２３とを備え、該天板２２の内面に立設した複数の緩衝板２５を備えることを特徴とする請求項１乃至請求項３のいずれか１項記載のビン形状容器用外筒体。
【請求項５】
前記蓋部Ｃの円筒板２１の上端外周には、前記円筒状側板１の上端面上に係止されるリング状又は断続線状又は点状の係合突起部２１ａが突設されていることを特徴とする請求項４記載のビン形状容器用外筒体。
【発明の詳細な説明】
【技術分野】
【０００１】
本発明は、ガラスビン容器などビン形状容器を収納固定して上端開口部から下端底部に亘って同じ外周径の紙を主体とする円筒状容器として自動販売機や店頭にて販売可能とすることができるビン形状容器用外筒体に関する。
【背景技術】
【０００２】
一般的にジュースやお酒などを充填包装したガラスビン容器などビン形状容器は、容器上端開口部から下端底部に亘って同じ外周径を保持しておらず、円筒状容器のように自動販売機での販売は難しい。
【０００３】
上端開口部から下端底部に亘って同じ外周径を保持していないビン形状容器を円筒状容器のように自動販売機にて販売可能とするために、例えば紙製の円筒状容器内に収納した場合には、円筒状容器が紙製であるために耐衝撃性に劣り、中身のガラスビンが破損したり、ビン形状容器が円筒状容器内で固定できないために重心が不安定になったり、紙製の円筒状容器は一度変形したら元の形状に戻らないために真円度が低下したりして、自動販売機内での容器の転がり性に問題が発生する。
【特許文献１】特開平１１−１０５８７７号公報
【特許文献２】特開２０００−３５３２７１
【発明の開示】
【発明が解決しようとする課題】
【０００４】
本発明は、ガラスビン容器などビン形状容器を、上端開口部から下端底部に亘って同じ外周径の紙を主体とする円筒状容器内に収納固定して、自動販売機や店頭にて販売可能とすることができるビン形状容器用外筒体を提供することにある。
【課題を解決するための手段】
【０００５】
本発明の請求項１に係る発明は、円筒状側板１と該円筒状側板１の下部開口部に底板２を備えた紙製の円筒部Ａと、該円筒部Ａ内に装填されるビン形状容器Ｂと、該円筒部Ａの円筒状側板１の上部開口部を施蓋する蓋部Ｃとからなるビン形状容器用外筒体であって、蓋部Ｃの内面にはビン形状容器Ｂの胴部１０の少なくとも上部外周に接して放射状に立設した複数の緩衝板２５を備えることを特徴とするビン形状容器用外筒体である。
【０００６】
本発明の請求項２に係る発明は、円筒状側板１と該円筒状側板１の下部開口部に底板２を備えた紙製の円筒部Ａと、該円筒部Ａ内に装填されるビン形状容器Ｂと、該円筒部Ａの円筒状側板１の上部開口部を施蓋する蓋部Ｃとからなるビン形状容器用外筒体であって、円筒部Ａの底板２にはビン形状容器Ｂの胴部１０の下部外周に接して立設した複数の係止板３を備え、蓋部Ｃの内面にはビン形状容器Ｂの胴部１０の少なくとも上部外周に接して放射状に立設した複数の緩衝板２５を備えることを特徴とするビン形状容器用外筒体である。
【０００７】
本発明の請求項３に係る発明は、上記請求項２に係るビン形状容器用外筒体において、前記係止板３は、前記円筒部Ａの底板２にＵの字型に折目を介して切り抜き形成され、底板２から折目を介して円筒部Ａ内に立ち起こし可能であることを特徴とするビン形状容器用外筒体である。
【０００８】
本発明の請求項４に係る発明は、上記請求項１乃至請求項３のいずれか１項に係るビン形状容器用外筒体において、前記蓋部Ｃは、前記円筒部Ａの円筒状側板１の上部開口部内面に密接嵌合する円筒板２１と、該円筒板２１の下端に天板２２と、該天板２２の中央部に前記ビン形状容器Ｂの蓋部１１を嵌入する凹陥部２３とを備え、該天板２２の内面に立設した複数の緩衝板２５を備えることを特徴とするビン形状容器用外筒体である。
【０００９】
本発明の請求項５に係る発明は、上記請求項４に係るビン形状容器用外筒体において、前記蓋部Ｃの円筒板２１の上端外周には、前記円筒状側板１の上端面上に係止されるリング状又は断続線状又は点状の係合突起部２１ａが突設されていることを特徴とするビン形状容器用外筒体である。
【発明の効果】
【００１０】
本発明のビン形状容器用外筒体は、円筒状側板１と該円筒状側板１の下部開口部に底板２を備えた紙製の円筒部Ａと、該円筒部Ａ内に装填されるビン形状容器Ｂと、該円筒部Ａの円筒状側板１の上部開口部を施蓋するプラスチック製の蓋部Ｃとからなり、蓋部Ｃの内面には、プラスチック製の複数の爪状の緩衝板２５を放射状に備えており、各々緩衝板２５の端縁部がビン形状容器Ｂの胴部１０の上部半分乃至胴部全体の外周に密接してビン形状容器Ｂを紙製の円筒部Ａ内に固定保持することができる。
【００１１】
そのため、円筒部Ａ内部でのビン形状容器Ｂの動きを規制でき、ビン形状容器Ｂの重心を固定する役割を果たすことができる。また、円筒部Ａに対する外部からの衝撃に対する強度を発揮でき、ガラスビンなどの壊れ易いビン形状容器Ｂの破損防止、紙製の円筒部Ａの真円筒外形の変形防止に効果がある。
【００１２】
さらに、円筒部Ａの底板２に、折目を残してＵの字型に打ち抜き形成したビン形状容器Ｂの胴部１０の下部外周に密接可能な複数の係止板３を備えることにより、その折目を介して係止板３を円筒部Ａ内に向かって立ち起こして、ビン形状容器Ｂの下部を、紙製の円筒部Ａ内に補助的に固定保持することができる。
【００１３】
このように、本発明のビン形状容器用外筒体は、容器の上端開口部から下端底部に亘って異なる外周径のガラスビン容器などビン形状容器を、上端開口部から下端底部に亘って同じ外周径の紙を主体とする円筒状容器内に収納固定でき、前記ビン形状容器を外形が真円筒状の円筒状容器とすることができ、自動販売機による販売が難しい形状で、壊れ易い材質のビン形状容器を、自動販売機内に装填して自動販売機による販売が可能になり、また、店頭に陳列したりして店頭販売することができるものである。
【発明を実施するための最良の形態】
【００１４】
本発明を、図１（ａ）に示す側断面図、図１（ｂ）に示す上面図に基づいて以下に詳細に説明すれば、本発明のビン形状容器用外筒体は、図１（ａ）に示すように、板紙製の円筒状側板１と、該円筒状側板１の下部開口部に底板２を備えた紙製の円筒部Ａと、該円筒部Ａ内に装填されるビン形状容器Ｂと、該円筒部Ａの円筒状側板１の上部開口部を施蓋するプラスチック製の蓋部Ｃとからなる。
【００１５】
プラスチック製の蓋部Ｃの内面（下面）には、図１（ａ）〜（ｂ）に示すように、少なくとも複数の爪状（又は板状）の緩衝板２５を放射状に備えている。例えば、図示するように、一体成形方式又はパーツ組み立て方式にて、プラスチック製の複数の爪状の緩衝板２５を放射状に備えていて、この各々緩衝板２５は、その放射状の内端縁部が、ビン形状容器Ｂの胴部１０の上部半分、乃至、胴部の略全体の外周に密接していて、ビン形状容器Ｂを円筒部Ａ内に固定保持することができるようになっている。
【００１６】
紙製の円筒部Ａは、図１（ａ）に示すように、真円筒状（筒上端部から下端部に亘って同一外径）に成形した円筒状側板１の下端部から、円形の板紙製の底板２を、その外周２ａを直角に折り立てて嵌入した後、円筒状側板１の下端１ａを筒内方に折り返し、下端１ａと外周２ａとの重ね合わせ面をヒートシールすることにより、円筒部Ａの底部が密封成形されている。
【００１７】
円筒部Ａの円筒状側板１の筒内には、図１（ａ）に示すようにガラスビンなどのビン形状容器Ｂが装填され、その円筒状側板１の上端開口部に、プラスチック製の蓋部Ｂが施蓋されて、図２の全体外観斜視図に示すような本発明のビン形状容器用外筒体が形成されている。
【００１８】
蓋部Ｂは、図１（ａ）〜（ｂ）に示すように、その内面（下面）に、少なくとも複数の爪状（又は板状）の緩衝板２５を放射状に備えていて、その放射状の内端縁部は、ビン形状容器Ｂの胴部１０の上部半分、乃至、胴部の略全体の外周に密接して、ビン形状容器Ｂを円筒部Ａ内に固定保持することができるようになっている。
【００１９】
なお、本発明における蓋部Ｂは、少なくとも円筒部Ａの上端開口部を施蓋でき、装填されるビン形状容器Ｂの下端と上端とを底板２と蓋部Ｂとにより挟持でき、蓋部Ｂのバージン開封性と取り外し開封容易性とが確保できる構造のものであれば、その詳細な構造は特に限定されるものではない。
【００２０】
上記蓋部Ｂの詳細な構造としては、例えば、図１（ａ）〜（ｂ）に示すように、円筒部Ａの円筒状側板１の上部開口部内面に密接嵌合する円筒板２１と、該円筒板２１の下端に天板２２と、該天板２２の中央部に前記ビン形状容器Ｂの蓋部１１を嵌入する凹陥部２３とを備えており、該天板２２の内面に下向きに放射状に爪状（板状）の複数の緩衝板２５が立設されている。
【００２１】
また、前記蓋部Ｃの円筒板２１の上端外周には、図示するように、前記円筒状側板１の上端面上に係止されるリング状又は断続線状又は点状の係合突起部２１ａが突設されている。
【００２２】
蓋部Ｂの凹陥部２３内にはビン形状容器Ｂの蓋部１１が嵌入でき、円筒部Ａの上端開口部に蓋部Ｂを施蓋した際に、円筒部Ａ内のビン形状容器Ｂは、底板２と蓋部Ｂの天板２２の凹陥部２３との間に挟持されて上下方向への移動を防止できる。
【００２３】
蓋部Ｂは、その円筒板２１の外周面を円筒部Ａの上端開口部の内周面に周接させて密に嵌合して施蓋されるものであるが、その円筒板２１の外周面と円筒部Ａの上端開口部の内周面との周接内面は、必要に応じて、互いに部分的又は全面的に接着剤方式あるいはヒートシール方式にて、開封可能な状態の強度で接合し、施蓋後の円筒部Ａ及び蓋部Ｂの上端外周に沿って部分周又は全周にシールテープを貼着するか、または封印テープを貼着するか、またはラップフィルム等のシールフィルムでオーバーラップをかけことにより、バージン開封性を確保することができる。
【００２４】
また、図１（ａ）〜（ｂ）に示すように、蓋部Ｂの円筒板２１内周側の一部に、開封用プルタブ又は開封用突起部２４を設けることにより、円筒部Ａからの蓋部Ｂの取り外し開封容易性を確保することができる。
【００２５】
図３は、本発明のビン形状容器用外筒体の蓋部Ｂを取り外し開封した状態を示す全体斜視図であり、円筒部Ａ及び蓋部Ｂの上端外周に沿って貼着されているシールテープ、封印テープ、またはシールフィルムを剥がし、蓋部Ｂのプルタブ又は開封用突起部２４を指で
摘んで、蓋部Ｂを円筒部Ａの上端部から上方に引っ張り上げることにより、本発明のビン形状容器用外筒体を開封して、円筒部Ａ内のビン形状容器Ｂを取り出すことができる。
【００２６】
本発明のビン形状容器用外筒体においては、図１（ａ）に示すように、その円筒部Ａの底板２に、ビン形状容器Ｂの胴部１０の下部外周に接して立設した複数の係止板３を備えてもよく、この各々係止板３の内端縁部により、ビン形状容器Ｂの胴部１０の下部外周に密接して、ビン形状容器Ｂを円筒部Ａ内に補助的に固定保持することができるようにしてもよい。
【００２７】
円筒部Ａの底板２に立設形成される複数の前記係止板３は、例えば、円筒部Ａの紙製の底板２の複数個所をＵの字型に折目３ｂを介して切り抜き形成して、その底板２の下面側から円筒部Ａ内に向かって係止板３部分を押し込み、切り抜き孔３ａ部分の折目３ｂを介して係止板３を円筒部Ａ内に立ち起こすことにより、複数の各々係止板３の内端縁部がビン形状容器Ｂの胴部１０の下部外周に密接して、ビン形状容器Ｂを円筒部Ａ内に補助的に固定保持することができるようにしたものである。
【図面の簡単な説明】
【００２８】
【図１】（ａ）は本発明のビン形状容器用外筒体の側断面図、（ｂ）はその上面図。
【図２】本発明のビン形状容器用外筒体の全体外観斜視図。
【図３】本発明のビン形状容器用外筒体を開封した状態を示す全体外観斜視図。
【符号の説明】
【００２９】
Ａ…円筒部  Ｂ…ビン形状容器  Ｃ…蓋部
１…円筒状側板  ２…底板  ３…係止板  ３ａ…切り抜き孔  ３ｂ…折目
１０…胴部  １１…蓋部
２１…円筒板  ２２…天板２２  ２３…凹陥部  ２４…プルタブ  ２５…緩衝板
【図１】
2005047602.tif 000003
【図２】
2005047602.tif 000004
【図３】
2005047602.tif 000005